(57)【要約】【課題】壁面等の装着面への取り付けを容易に行うことができるとともに、仮に落下した場合であってもその衝撃を最小限に抑えることができる表示装置を提供する。【解決手段】表層シート２及び裏層シート３との間に、表示ディスプレイ５及び該表示ディスプレイ５を駆動するための駆動手段６を有する表示機器４を配置した表示装置１であって、表層シート２及び裏層シート３の周縁部８でかつ表示機器４の側部４Ａに、装着面Ｌに密着させるためのフレキシブルな装着面密着部Ｍが設けられていることを特徴とする。【選択図】図１
2015176109.tif 000002
【特許請求の範囲】
【請求項１】
表面部材及び裏面部材との間に、表示ディスプレイ、該表示ディスプレイを駆動するための駆動手段及びバッテリーを有する表示機器を配置した表示装置であって、
前記表面部材及び前記裏面部材の周縁部でかつ前記表示機器の側部に、装着面に密着させるためのフレキシブルな装着面密着部
が設けられていることを特徴とする表示装置。
【請求項２】
前記装着面密着部は、前記表示機器の側部に配置された軟質部材であり、該軟質部材のフレキシブルな変形によって前記装着面に密着される
ことを特徴とする請求項１に記載の表示装置。
【請求項３】
前記装着面密着部は、前記表示機器を中央に挟んだ状態の前記表面部材及び前記裏面部材の周縁合わせ部に形成され、該周縁合わせ部のフレキシブルな変形によって前記装着面に密着される
ことを特徴とする請求項１に記載の表示装置。
【請求項４】
前記装着面密着部の周縁合わせ部は、前記装着面に密着させた状態で、前記表示機器の中央に位置する前記裏面部材とほぼ同一平面上に位置する
ことを特徴とする請求項３に記載の表示装置。
【請求項５】
前記装着面密着部を装着面に固定するための固定手段がさらに設けられている
ことを特徴とする請求項１から請求項４のいずれか１項に記載の表示装置。
【請求項６】
前記固定手段は両面テープであることを特徴とする請求項５に記載の表示装置。
【請求項７】
前記固定手段は接着剤であることを特徴とする請求項５に記載の表示装置。
【請求項８】
前記固定手段は画鋲であることを特徴とする請求項５に記載の表示装置。
【請求項９】
前記装着面密着部は前記表示機器の周方向に沿って間欠的に設けられていることを特徴とする請求項１から請求項８のいずれか１項に記載の表示装置。
【請求項１０】
前記表示機器の中央に位置する前記裏面部材と装着面との間には空気を流通させるための間隙部がさらに設けられている
ことを特徴とする請求項９に記載の表示装置。
【発明の詳細な説明】
【技術分野】
【０００１】
本発明は、スマートフォン、タブレット端末などに適用されて、壁などの装着面に容易に取り付けできる表示装置に関する。
【背景技術】
【０００２】
近年、スマートフォン、タブレット端末などの表示装置が多く使用されている。
例えば、特許文献１に示される携帯端末装置は、外部から電子番組表のデータを受信する受信手段と、該受信手段により受信した電子番組表のデータを記憶する記憶手段と、電子番組表の内容を電子ペーパーに表示させる表示制御手段とが具備されたものであって、該電子ペーパーは、携帯端末装置の筐体外面に設置されている。
【０００３】
また、特許文献２に示される携帯端末機器では、可撓性材料（例えばゴム、シリコン系樹脂、熱可塑性エラストマー等）によって構成された筐体と、この筐体内に挿入された形状記憶合金製の内部フレームとを備えた筐体構造内に収容されている。
【０００４】
また、特許文献３に示される携帯電話では、内ケースを箱型の一体成形した透明な樹脂で構成し、内ケース及び外ケースそれぞれの側面板を当接させて筐体を形成したものであって、透明な内ケースを通じて内部のＬＣＤが目視可能となっている。
【０００５】
そして、上記特許文献１〜３に示される端末機器は、一般的なユーザーが通信機器として使用する以外に、外食産業の厨房では注文を管理するキッチンディスプレイとしても用いられる。また、コンビニエンスストアやスーパーなどの流通業においては、店舗のバックヤードに商品管理用としてのディスプレイ端末としても、上記端末機器が使用されることもある。
【先行技術文献】
【特許文献】
【０００６】
【特許文献１】特開２０１０-０９３６６８号公報
【特許文献２】特開２００７-１２４１２４号公報
【特許文献３】特開２００３-２２４６４１号公報
【発明の概要】
【発明が解決しようとする課題】
【０００７】
しかしながら、上記特許文献１〜３に示される端末機器では、表示装置として使用する場合、以下のような問題がある。
具体的には、外食産業の厨房にて、注文を管理するキッチンディスプレイとして使用する場合、設置スペースの関係から該キッチンディスプレイが厨房の壁面に設置されることが多く、壁面への固定等で特別の装着部材などが必要となり、設置に手間がかかるという問題があった。
また、コンビニエンスストアやスーパーなどの流通業において、店舗のバックヤードに表示装置を設置する場合、その設置スペースは非常に限られており、スペースを犠牲にせず本部からの指示等を表示・通達する適切な方法がなかった。
また、病院の病室にて入院患者が表示装置を壁面等に設置しようとした場合も、同様に設置スペース、設置の手間に関する問題があった。
【０００８】
すなわち、特許文献１〜３に示される端末機器を表示装置として使用する場合に、設置スペースの問題から、該端末機器を壁面等の装着面に取り付ける必要が生じるが、その取り付けのために装着部材を用意するなどの問題が発生していた。そして、その装着部材は、端末機器の重量、厚さを考慮した特別仕様のものでなければならず、この点においても設置に手間がかかるという問題が発生していた。
また、関連する表示装置は、ガラスやプラスチックなど硬質な材質で構成されている場合が多く、落下時の衝撃で破損しやすいという問題があった。また、関連する表示装置は、例えば、厨房等の温度が高くなりがちな空間で用いるにもかかわらず、放熱について考慮されていない構造となっているという問題もあった。
【０００９】
この発明は、上述した事情に鑑みてなされたものであって、壁面等の装着面への取り付けを容易に行うことができるとともに、仮に落下した場合であってもその衝撃を最小限に抑えることができる表示装置を提供するものである。
【課題を解決するための手段】
【００１０】
上記課題を解決するために、この発明は以下の手段を提案している。
本発明は、表面部材及び裏面部材との間に、表示ディスプレイ、該表示ディスプレイを駆動するための駆動手段及びバッテリーを有する表示機器を配置した表示装置であって、前記表面部材及び前記裏面部材の周縁部でかつ前記表示機器の側部に、装着面に密着させるためのフレキシブルな装着面密着部が設けられていることを特徴とする。
【発明の効果】
【００１１】
本発明によれば、表面部材及び裏面部材との間に表示機器を配置した表示装置において、これら表面部材及び裏面部材の周縁部でかつ表示機器の側部に、装着面に密着させるためのフレキシブルな装着面密着部を設けたので、特別な装着部材を使用することなく、該装着面密着部を介して壁面等の装着面に容易に取り付けることができる。
【図面の簡単な説明】
【００１２】
【図１】本発明に係る表示装置の代表図であって、（Ａ）は平面図、（Ｂ）は（Ａ）のＢ-Ｂ線に沿って切断した断面図である。
【図２】本発明の第１実施形態に係る表示装置を示す図であって、（Ａ）は平面図、（Ｂ）は（Ａ）のＢ-Ｂ線に沿って切断した断面図である。
【図３】駆動手段を具体的に示す図である。
【図４】第１実施形態に係る装着面密着部を示す図であって、（Ａ）は装着面密着部が装着面に密着前の状態を示す図、（Ｂ）は装着面密着部が装着面に密着した状態を示す図である。
【図５】第１実施形態に係る装着面密着部の変形例を示す図であって、（Ａ）は変形例に係る装着面密着部を示す平面図、（Ｂ）は背面に間隙部を設けた状態を示す断面図である。
【図６】本発明の第２実施形態に係る表示装置を示す図であって、（Ａ）は平面図、（Ｂ）は（Ａ）のＢ-Ｂ線に沿って切断した断面図である。
【図７】第２実施形態に係る装着面密着部を示す図であって、（Ａ）は装着面密着部が装着面に密着前の状態を示す図、（Ｂ）は装着面密着部が装着面に密着した状態を示す図である。
【発明を実施するための形態】
【００１３】
本発明の実施形態を図１（Ａ）及び（Ｂ）を参照して説明する。
図１（Ａ）及び（Ｂ）は本発明に係る表示装置１の代表図であって、図１（Ａ）はその平面図、図１（Ｂ）はその側断面図を示している。
【００１４】
表示装置１は、これら図１（Ａ）及び（Ｂ）に示されるように、同一の大きさに形成された透明の表層シート２及び裏層シート３と、これら表層シート２及び裏層シート３の間に配置された表示機器４とを具備する。
これら表層シート２及び裏層シート３間に位置する表示機器４は、表層側に表示画面を有する表示ディスプレイ５と、該表示ディスプレイ５を駆動するための駆動手段６と、電源となるバッテリー７とを具備する構成である。
【００１５】
表層シート２及び裏層シート３の周縁部８でかつ表示機器４の側部４Ａには、壁部等の装着面Ｌに密着させるためのフレキシブルな装着面密着部Ｍが設けられている。
そして、このような表示装置１では、接着剤、両面テープ、画鋲などを用いて、装着面密着部Ｍを壁部等の装着面Ｌに固定することにより、特別な装着部材を使用することなく、当該装着面Ｌに容易かつ低コストで取り付けることが可能となる。また、この表示装置１では、仮に落下した場合であっても、フレキシブルな装着面密着部Ｍによってその衝撃を吸収することができ、装置を保護することができる。
【００１６】
以下、本発明の実施形態について、図２〜図５を参照して詳細に説明する。
（実施形態１）
図２（Ａ）は本発明の実施形態１に係る表示装置１０の平面図、図２（Ｂ）は図２（Ａ）のＢ−Ｂ線に沿う断面図であって、同一の大きさに形成された透明の表層シート２及び裏層シート３と、これら表層シート２及び裏層シート３の間でかつ中央部に配置された表示機器４とを具備する。
なお、表層シート２及び裏層シート３としては、例えばＰＥＴ（ポリエチレン・テレフタレート）からなる軟質部材が使用されるが、その素材は限定されるものではない。
【００１７】
表示機器４は、表層側にタッチパネル５Ａ及び表示画面５Ｂを有する表示ディスプレイ５と、該表示ディスプレイ５を駆動する駆動手段６と、電源となるバッテリー７とを具備するものである。
駆動手段６としては、図３に示されるように、表示ディスプレイ５を制御する装置制御部１１、外部からの操作指示及び画像情報を受けるための無線部１２、無線部１２やタッチパネル５Ａを通じて入力された操作内容を装置制御部１１に伝達する操作入力部１３、及びバッテリー７を管理するための電源制御部１４が主な構成要素として設けられている。
【００１８】
表層シート２及び裏層シート３の周縁部８でかつ表示機器４の側部４Ａには、壁部等の装着面Ｌに密着させるためのフレキシブルな装着面密着部Ｍ１が設けられている。
この装着面密着部Ｍ１はゴム材料などの軟質部材からなるものであって、図４（Ａ）及び（Ｂ）の部分拡大図に示すように、矢印ａ方向に押圧して壁部等の装着面Ｌの状態に合わせて弾性又は塑性変形させることによって、当該装着面Ｌに密着可能なものである。
そして、上記表示装置１では、図４（Ｂ）に示すような装着面密着部Ｍ１を装着面Ｌに密着させた状態で、該装着面密着部Ｍ１を接着剤、両面テープ、画鋲などの固定手段１５で固定することにより、上記表示装置１を装着面Ｌに固定及び保持することが可能となる。なお、図４（Ｂ）では、固定手段１５として両面テープを用いた例が示されている。
また、上記表示装置１では、図４（Ｂ）に示すような装着面密着部Ｍ１を介して装着面Ｌに密着させた場合、表示機器４で発生した熱を背面側の装着面Ｌに速やかに伝達して放熱することができる。
【００１９】
以上詳細に説明したように本実施形態に示される表示装置１０では、表層シート２及び裏層シート３の周縁部８で、かつ表示機器４の側部４Ａに、装着面Ｌに密着させるためのフレキシブルな装着面密着部Ｍ１を設けたので、特別な装着部材を使用することなく、該装着面密着部Ｍ１を介して壁面等の装着面Ｌに容易かつ低コストで取り付けることができる。
また、上記表示装置１０では、特別な装着部材を使用することなく、装着面密着部Ｍ１を介して壁面等の装着面Ｌに容易に取り付けることができるので、外食産業におけるキッチンスペース、コンビニエンスストアやスーパーなどのバックヤード、病室といった狭いスペースでも便利に用いることができる。
また、上記表示装置１０では、仮に落下した場合であっても上述したフレキシブルな装着面密着部Ｍ１によってその衝撃を吸収することができ、装置を保護することができる。
さらに、上記表示装置１０では、装着面密着部Ｍ１にガラスが使用されていなので、落下によって該装着面密着部Ｍ１が割れることがなく、落下による被害を最小限に抑えることも可能となる。
また、上記表示装置１０は、ガラスなどの部材を用いず軽量な構造であるため、接着剤、両面テープ、画鋲などで取り付けても落下の可能性を低減できる。
【００２０】
なお、上記実施形態では、装着面Ｌとして建物における垂直平面状の壁面に、表示装置１０の装着面密着部Ｍ１を密着させたが、これに限定されず、布、球体、皮革といった非平面状の装着面Ｌに、表示装置１０の装着面密着部Ｍ１を密着させても良く、装着対象は特に限定されるものではない。
【００２１】
また、上記実施形態では、表示機器４の側部４Ａに周方向に沿うように装着面密着部Ｍ１が連続配置されているが、これに限定されず、図５に示すように一定の間隔（間隙部を符号１６で示す）で間欠的に配置しても良い。このとき、表示機器４の中央に位置する裏層シート３と装着面Ｌとの間には空気を流通させるための隙間を設け、該隙間及び間欠的に設けられた装着面密着部Ｍ１の間隙部１６を通じて、該表示機器４の放熱を行っても良い。
具体的には、上記表示装置１０において、装着面Ｌの熱伝導率が悪い場合に、裏層シート３と装着面Ｌとの隙間内の空気を、間欠的に配置された装着面密着部Ｍ１の間隙部１６から外部に放出して、該表示機器４の放熱を行っても良い。
【００２２】
（第２実施形態）
次に、本発明の第２実施形態について図６及び図７を参照して説明する。
図６に示される表示装置２０が、第１実施形態に示される表示装置１０と構成を異にする点は装着面密着部Ｍ２の構成であり、これに関する構成以外については第１実施形態と同一符号を付し、重複した説明を省略する。
【００２３】
第２実施形態の装着面密着部Ｍ２は、第１実施形態のように別途、ゴム部材を設けることなく、表示機器４を中央に挟んだ状態の表層シート２及び裏層シート３の周縁部を重ね合わせた周縁合わせ部２１を利用するものであって、該周縁合わせ部２１のフレキシブルな変形によって装着面Ｌに密着可能となっている。
そして、装着面密着部Ｍ２の周縁合わせ部２１は、図７（Ａ）及び（Ｂ）に示すように矢印ａ方向に押圧して、装着面Ｌに密着するように変形させることができる。これにより表示機器４の中央に位置する裏層シート３とほぼ同一平面上に位置させることができ、表示装置２０の背面が装着面Ｌ上に密着可能となる。
また、上記表示装置１では、第１実施形態と同様、図７（Ｂ）に示すような装着面密着部Ｍ２を装着面Ｌに密着させた状態で、該装着面密着部Ｍ１を接着剤、両面テープ、画鋲などの固定手段１５で固定することができる。
【００２４】
そして、以上のように構成された第２実施形態の表示装置２０では、表層シート２及び裏層シート３の周縁部８で、かつ表示機器４の側部４Ａに、装着面Ｌに密着させるためのフレキシブルな装着面密着部Ｍ２を設けたので、特別な装着部材を使用することなく、該装着面密着部Ｍ２を介して壁面等の装着面Ｌに容易かつ低コストで取り付けることができる。
また、第２実施形態の表示装置２０では、表示機器４を中央に挟んだ状態の表層シート２及び裏層シート３の周縁合わせ部２１を利用して装着面密着部Ｍ２を構成したので、第１実施形態のように別途、ゴム部材を設ける必要がなく、この点においても低コストを図ることができる。
【００２５】
また、上記表示装置２０では、これまでのように特別な装着部材を使用することなく、装着面密着部Ｍ２を介して壁面等の装着面Ｌに容易に取り付けることができるので、外食産業におけるキッチンスペース、コンビニエンスストアやスーパーなどのバックヤード、病室といった狭いスペースでも便利に用いることができる。
また、上記表示装置２０では、仮に落下した場合であっても上述したフレキシブルな装着面密着部Ｍ２によってその衝撃を吸収することができ、装置を保護することができる。
さらに、上記表示装置２０では、装着面密着部Ｍ２にガラスが使用されていなので、落下によって該装着面密着部Ｍ２が割れることがなく、落下による被害を最小限に抑えることも可能となる。
また、上記表示装置１０は、ガラスなどの部材を用いず軽量な構造であるため、接着剤、両面テープ、画鋲などで取り付けても落下の可能性を低減できる。
【００２６】
また、上記第２実施形態では、表示装置２０の周囲にて周方向に沿うように装着面密着部Ｍ２が連続配置されているが、これに限定されず、第１実施形態にて図５に示す場合と同様に一定の間隔で間欠的に配置しても良い。
【００２７】
また、上記第１実施形態と第２実施形態とを組み合わせ、表示機器４の側部４Ａに、フレキシブルなゴム部材を用いた装着面密着部Ｍ１を設け、さらに装着面密着部Ｍ１の周囲にて周方向に沿うように周縁合わせ部２１を設けても良い。このような構成にすれば、装着面密着部Ｍ１又はＭ２を用いて装着面Ｌに取り付けられるだけではなく、装着面密着部Ｍ１が、落下時の衝撃から表示機器４を守る補強材にもなる。
【００２８】
以上、本発明の実施形態について図面を参照して詳述したが、具体的な構成はこの実施形態に限られるものではなく、本発明の要旨を逸脱しない範囲の設計変更等も含まれる。なお、上記の表層シートは表面部材の一例であり、裏層シートは裏面部材の一例である。
【産業上の利用可能性】
【００２９】
本発明は、スマートフォン、タブレット端末などに適用されて、壁などの装着面に容易に取り付けできる表示装置に関する。また、タッチパネルを利用した操作機器として利用することも可能である。
【符号の説明】
【００３０】
１  表示装置
２  表層シート
３  裏層シート
４  表示機器
４Ａ  側部
５  表示ディスプレイ
６  駆動手段
７  バッテリー
８  周縁部
１０  表示装置
１５  固定手段
２０  表示装置
２１  周縁合わせ部
Ｍ（Ｍ１、Ｍ２）  装着面密着部
Ｌ  装着面
【図１】
2015176109.tif 000003
【図２】
2015176109.tif 000004
【図３】
2015176109.tif 000005
【図４】
2015176109.tif 000006
【図５】
2015176109.tif 000007
【図６】
2015176109.tif 000008
【図７】
2015176109.tif 000009